(57)【要約】【課題】搬送中にカード状媒体の詰まりや、カード状媒体を損傷させることなく、イメージスキャナに読み取らせることができるイメージスキャナ用アダプタを提供すること。【解決手段】アダプタ３は、表面に紙カード４が載置される透明な第１シート５１と、第１シート５１の表面の前端部分に固定された一定厚さの透明な第１スペーサ５２と、第１スペーサ５２に固定されて第１シート５１に重ねられ、紙カード４を第１シート５１とは反対側から被う透明な第２シート５４と、を備える。第１シート５１の前後方向Ｘの長さ寸法はＩＳＯカード２の前後方向Ｘの長さ寸法よりも長い。第１シート５１の幅寸法はＩＳＯカード２の幅方向Ｙの幅寸法と同一である。第１シート５１、第１スペーサ５２、第２シート５４の厚みを合計した合計寸法は、ＩＳＯカード２の厚さ寸法以下である。【選択図】図６
2019080297.tif 000002
【特許請求の範囲】
【請求項１】
所定規格のカードを搬送経路に沿って搬送して当該カードの表面および裏面の画像を読み取るイメージスキャナによって、前記所定規格よりも薄いカード状媒体の表面および裏面を読み取るためのイメージスキャナ用アダプタにおいて、
前記所定規格のカードの搬送方向の長さ寸法よりも長く、表面に前記カード状媒体が載置される透明な第１シートと、
前記第１シートの前記表面の前記搬送方向の前端部分および後端部分の少なくとも一方に固定された一定厚さの透明なスペーサと、
前記スペーサに固定されて前記第１シートに重ねられ、前記カード状媒体を前記第１シートとは反対側から被う透明な第２シートと、
を備えることを特徴とするイメージスキャナ用アダプタ。
【請求項２】
前記第１シートにおいて前記搬送方向と直交する直交方向の寸法および前記第２シートの前記直交方向の寸法は、前記所定規格のカードの前記直交方向の寸法と同一であることを特徴とする請求項１に記載のイメージスキャナ用アダプタ。
【請求項３】
前記スペーサは、両面テープであることを特徴とする請求項２に記載のイメージスキャナ用アダプタ。
【請求項４】
前記第１シートの前端縁は、前記直交方向に延びており、
前記第２シートの前端縁は、前記直交方向に延びており、
前記第１シートと前記第２シートとの積層方向から見た場合に前記第１シートの前端縁と前記第２シートの前端縁とは一致しており、
前記スペーサは、前記第１シートの前記前端縁に沿って固定され当該第１シートの表面を前記直交方向に延びていることを特徴とする請求項２または３に記載のイメージスキャナ用アダプタ。
【請求項５】
前記第１シートの後端部分に固定された第２のスペーサ、を備え、
前記第２のスペーサは、前記第１シートの後端縁に沿って固定され当該第１シートの前記表面を前記直交方向に延びており、
前記搬送方向における前記スペーサと前記第２のスペーサとの間の距離は、前記所定規格のカードの前記搬送方向の長さ寸法よりも長いことを特徴とする請求項４に記載のイメージスキャナ用アダプタ。
【請求項６】
前記第１シートまたは前記第２シートは、前端部分に、遮光部を備えることを特徴とする請求項１から５のうちのいずれか一項に記載のイメージスキャナ用アダプタ。
【請求項７】
前記遮光部は、前記第１シートまたは前記第２シートに施された黒色の印刷であることを特徴とする請求項６に記載のイメージスキャナ用アダプタ。
【請求項８】
前記遮光部は、前記第１シートに設けられており、当該第１シートの前記前端縁から前記搬送方向に延びて前記スペーサの当該前端縁とは反対側まで達していることを特徴とする請求項６または７に記載のイメージスキャナ用アダプタ。
【請求項９】
前記第１シートは、前記搬送方向で前記遮光部と離間する位置に第２の遮光部を備え、
前記遮光部と前記第２の遮光部との間の距離は、前記所定規格のカードの前記搬送方向の長さ寸法よりも短く、前記遮光部と前記第２の遮光部における前記遮光部とは反対側の端との間の距離は、前記所定規格のカードの前記搬送方向の長さ寸法よりも長いことを特徴とする請求項８に記載のイメージスキャナ用アダプタ。
【請求項１０】
前記第１シートは、前記前端縁から前記搬送方向に延びて前記スペーサの当該前端縁とは反対側まで達している第１切欠き部を備え、
前記スペーサは、前記直交方向で前記第１切欠き部の一方側に位置する一方側スペーサ部分および他方側に位置する他方側スペーサ部分を備え、
前記第２シートは、前記第１シートおよび前記第２シートの積層方向から見た場合に、前記切欠き部と重なる第２切欠き部を備えることを特徴とする請求項４または５に記載のイメージスキャナ用アダプタ。
【請求項１１】
前記第１シートおよび前記第２シートの少なくとも一方は、前記搬送方向に一定間隔で付された目盛を備えることを特徴とする請求項１から１０のうちのいずれか一項に記載のイメージスキャナ用アダプタ。
【請求項１２】
前記第１シートまたは前記第２シートは、前記搬送方向の途中に第２の切欠き部を備えることを特徴とする請求項１から１１のうちのいずれか一項に記載のイメージスキャナ用アダプタ。
【請求項１３】
前記第２シートは、前記第１シートに載置された前記カード状媒体の前記第２シートの側の面に記載された記号列を所定の位置に配置するためのガイド部を備えることを特徴とする請求項１から１２のうちのいずれか一項に記載のイメージスキャナ用アダプタ。
【請求項１４】
前記ガイド部は、前記第２シートに印刷されて前記搬送方向に延びる直線、前記第２シートに印刷されて前記直交方向に延びる直線、または、前記第２シートに印刷されて前記記号列を包囲可能な枠線、であることを特徴とする請求項１３に記載のイメージスキャナ用アダプタ。
【請求項１５】
前記第１シートおよび前記第２シートは、可視光線を透過せず、赤外線を透過することを特徴とする請求項１から１２のうちのいずれか一項に記載のイメージスキャナ用アダプタ。
【請求項１６】
前記第２シートは、前記第１シートに載置された前記カード状媒体の前記第２シートの側の面に記載された記号列を所定の位置に配置するためのガイド部を備え、
前記ガイド部は、前記第２シートに形成され、前記記号列を当該第２シートから露出させることが可能な開口部であることを特徴とする請求項１５に記載のイメージスキャナ用アダプタ。
【請求項１７】
請求項１から１４のうちのいずれか一項に記載のイメージスキャナ用アダプタと、
前記所定規格の前記カードを搬送するための搬送経路と、
前記搬送経路に沿って前記カードよりも薄いカード状媒体を保持した前記イメージスキャナ用アダプタを搬送する搬送機構と、
前記搬送経路を間に挟んだ両側に配置された第１イメージセンサおよび第２イメージセンサと、
前記第１イメージセンサによる第１画像読取位置および前記第２イメージセンサによる第２画像読取位置よりも前記搬送方向の上流側で、前記イメージスキャナ用アダプタまたは前記カード状媒体を検出する透過型フォトセンサと、
前記透過型フォトセンサからの信号に基づいて前記第１イメージセンサおよび前記第２イメージセンサを駆動して、前記第１画像読取位置を通過する前記カード状媒体の前記第１シートの側の第１面の画像を読み取るとともに、前記第２画像読取位置を通過する前記カード状媒体の前記第２シートの側の第２面の画像を読み取る制御部と、を有し、
前記第１イメージセンサおよび前記第２イメージセンサのそれぞれは、前記搬送経路を
搬送される前記イメージスキャナ用アダプタに可視光線の画像読取光を照射することを特徴とするイメージスキャナ。
【請求項１８】
請求項１５または１６に記載のイメージスキャナ用アダプタと、
前記所定規格の前記カードを搬送するための搬送経路と、
前記搬送経路に沿って前記カードよりも薄いカード状媒体を保持した前記イメージスキャナ用アダプタを搬送する搬送機構と、
前記搬送経路を間に挟んだ両側に配置された第１イメージセンサおよび第２イメージセンサと、
前記第１イメージセンサによる第１画像読取位置および前記第２イメージセンサによる第２画像読取位置よりも前記搬送方向の上流側で、前記イメージスキャナ用アダプタまたは前記カード状媒体を検出する透過型フォトセンサと、
前記透過型フォトセンサからの信号に基づいて前記第１イメージセンサおよび前記第２イメージセンサを駆動して、前記第１画像読取位置を通過する前記カード状媒体の前記第１シートの側の第１面の画像を読み取るとともに、前記第２画像読取位置を通過する前記カード状媒体の前記第２シートの側の第２面の画像を読み取る制御部と、を有し、
前記第１イメージセンサおよび前記第２イメージセンサのそれぞれは、前記搬送経路を搬送される前記イメージスキャナ用アダプタに赤外線の画像読取光を照射することを特徴とするイメージスキャナ。
【発明の詳細な説明】
【技術分野】
【０００１】
本発明は、プラスチックカードなどよりも薄い紙などのカード状媒体の画像を読み取るためのイメージスキャナ用アダプタに関する。また、イメージスキャナ用アダプタを用いてカードの画像を取得するイメージスキャナに関する。
【背景技術】
【０００２】
自動車運転免許証、クレジットカード、マイナンバーカード等のＩＤカードなど個人情報が記載された媒体の画像を読み取る画像読み取り装置が普及している。特に、日本ではマイナンバー制度の導入により銀行等の窓口で、カードの画像により本人確認するための利用が拡大している。
【０００３】
この種の画像読み取り装置は、媒体の外形がＩＳＯ規格のＩＤ−１（ＪＩＳ  ＩＤ−１）のクレジットカード等と同じ形のカード状媒体を読み取るものであって、カード状媒体を搬送しつつ、搬送経路に配置したイメージセンサにより画像をスキャンする。また、この種の画像読み取り装置では、外形は同じだが厚さの異なる複数種類のカードのイメージを読み取る場合がある。例えば、厚さ０．１ｍｍ〜０．２ｍｍの薄い紙にカード形状のカット線が印刷された台紙から、カット線の内側をユーザーが切り抜いた紙カード（マイナンバーの通知カードなど）を、読み取ることがある。
【０００４】
紙カードは、必要に応じて各個人で切り取り使用する運用であるため、しばしば外形が不揃になってしまう。不揃いな外形の紙カードを前述の画像読み取り装置で使用すると、搬送中に紙カードの縁がくしゃくしゃになり破れるおそれがある。また、カードの切断端面が歪んでいると画像読み取り装置が画像読取の基準を認識できず読取エラーとなるおそれがある。そこで、切り抜き方式の紙カードの外形を揃えるために、スキャナを使用する場所（役所や店舗）にＩＳＯカード形状の専用紙パンチを備えておき、切り抜く前の紙カードを持った人がきたらＩＳＯサイズにきれいに切り抜いてあげてから処理をすることが行われている。しかし、サイズを揃える作業は煩雑であり、専用の冶具も必要である。
【０００５】
ここで、特許文献１には、プリンタを用いて紙カードのような薄いカード状媒体に印刷を施す際に、カード状媒体をアダプタに保持させて、プリンタに搬送させる技術が開示されている。
【先行技術文献】
【特許文献】
【０００６】
【特許文献１】特開２０１６−１５５３４５号公報
【発明の概要】
【発明が解決しようとする課題】
【０００７】
薄いカード状媒体の搬送中の破損や詰まりを回避するために、画像読み取り装置（イメージスキャナ）においても、カード状媒体をアダプタなどで保持して、搬送することが考えられる。
【０００８】
以上の問題点に鑑みて、本発明の課題は、所定規格のカードよりも薄いカード状媒体の形状が不揃いであっても、搬送中にカード状媒体の詰まりを発生することなく、また、カード状媒体を損傷させることなく、イメージスキャナに読み取らせることができるイメージスキャナ用アダプタを提供することである。また、イメージスキャナ用アダプタを用いてカードの画像を取得するイメージスキャナを提供することである。
【課題を解決するための手段】
【０００９】
上記課題を解決するため、本発明は、所定規格のカードを搬送経路に沿って搬送して当該カードの表面および裏面の画像を読み取るイメージスキャナによって、前記所定規格よりも薄いカード状媒体の表面および裏面を読み取るためのイメージスキャナ用アダプタにおいて、前記所定規格のカードの搬送方向の長さ寸法よりも長く、表面に前記カード状媒体が載置される透明な第１シートと、前記第１シートの前記表面の前記搬送方向の前端部分および後端部分の少なくとも一方に固定された一定厚さの透明なスペーサと、前記スペーサに固定されて前記第１シートに重ねられ、前記カード状媒体を前記第１シートとは反対側から被う透明な第２シートと、を備えることを特徴とする。
【００１０】
本発明によれば、カード状媒体は第１シートと第２シートとの間に挟まれた状態でイメージスキャナ用アダプタに保持される。従って、カード状媒体の形状が不揃いであっても、搬送中にカード詰まりを発生させることがなく、カードを損傷させることもない。また、第１シートと第２シートとはスペーサを介して積層されているので、第１シートと第２シートとの間にカード状媒体を配置することが容易である。さらに、第１シート、スペーサ、および、第２シートは、透明なので、イメージスキャナはカード状媒体の表面および裏面を読み取ることができる。ここで、イメージスキャナが搬送経路上にあるカードを検出するための透過型フォトセンサを備える場合には、透明なイメージスキャナ用アダプタに保持されたカード状媒体が透過型フォトセンサの検出光を遮ることができる。従って、所定規格のカードを検出するための透過型フォトセンサによって搬送経路上にあるカード状媒体を検出できる。
【００１１】
本発明において、前記第１シートにおいて前記搬送方向と直交する直交方向の寸法および前記第２シートの前記直交方向の寸法は、前記所定規格のカードの前記直交方向の寸法と同一であることが望ましい。このようにすれば、所定規格のカードを搬送するための搬送経路に沿ってイメージスキャナ用アダプタを搬送することが容易である。
【００１２】
本発明において、前記スペーサは、両面テープであることが望ましい。このようにすれば、スペーサによって第１シートと第２シートとを接着固定できる。
【００１３】
本発明において、前記第１シートの前端縁は、前記直交方向に延びており、前記第２シートの前端縁は、前記直交方向に延びており、前記第１シートと前記第２シートとの積層方向から見た場合に前記第１シートの前端縁と前記第２シートの前端縁とは一致しており、前記スペーサは、前記第１シートの前記前端縁に沿って固定され当該第１シートの表面を前記直交方向に延びていることが望ましい。このようにすれば、カード状媒体をスペーサに沿って配置することにより、カード状媒体の姿勢を、その前端縁が第１シートの前端縁および第２シートの前端縁に沿って直交方向に延びる姿勢とすることが容易である。
【００１４】
本発明において、前記第１シートの後端部分に固定された第２のスペーサ、を備え、前記第２のスペーサは、前記第１シートの後端縁に沿って固定され当該第１シートの前記表面を前記直交方向に延びており、前記搬送方向における前記スペーサと前記第２のスペーサとの間の距離は、前記所定規格のカードの前記搬送方向の長さ寸法よりも長いものとすることができる。このようにすれば、カード状媒体を、直交方向から第１シートと第２シートとの間に挿入することができる。
【００１５】
本発明において、前記第１シートまたは前記第２シートは、前端部分に、遮光部を備えることが望ましい。このようにすれば、イメージスキャナが搬送経路上にあるカードを検出するための透過型フォトセンサを備える場合に、遮光部によって透過型フォトセンサの検出光を遮ることができる。従って、所定規格のカードを検出するための透過型フォトセ
ンサによって搬送経路上にあるイメージスキャナ用アダプタを検出できる。
【００１６】
本発明において、前記遮光部は、前記第１シートまたは前記第２シートに施された黒色の印刷であることが望ましい。このようにすれば、第１シートまたは第２シートに遮光部を備えることが容易である。また、黒色の印刷であれば、少なくとも可視光線を遮光できる。
【００１７】
本発明において、前記遮光部は、前記第１シートに設けられており、当該第１シートの前記前端縁から前記搬送方向に延びて前記スペーサの当該前端縁とは反対側まで達していることが望ましい。このようにすれば、カード状媒体を第１シート上でスペーサに沿って配置したときに、カード状媒体の前端を遮光部に重ねることができる。これにより、カード状媒体と遮光部との間に透明な隙間が形成されることを防止できるので、透過型フォトセンサによって搬送経路上にあるイメージスキャナ用アダプタの前端を確実に検出することができる。
【００１８】
本発明において、前記第１シートは、前記搬送方向で前記遮光部と離間する位置に第２の遮光部を備え、前記遮光部と前記第２の遮光部との間の距離は、前記所定規格のカードの前記搬送方向の長さ寸法よりも短く、前記遮光部と前記第２の遮光部における前記遮光部とは反対側の端との間の距離は、前記所定規格のカードの前記搬送方向の長さ寸法よりも長いものとすることができる。このようにすれば、第２の遮光部による透過型フォトセンサの検査光の遮断が解除された時点で、イメージスキャナ用アダプタが透過型フォトセンサによる検出位置を通過したことを把握できる。また、このようにすれば、イメージスキャナによってイメージスキャナ用アダプタに保持されたカード状媒体の表面および裏面が読み取られたときに、画像中に現れる第２の遮光部によって、カード状媒体の画像の範囲を把握できる。従って、画像データから不必要な領域をオミットすることが容易であり、読取画像から必要な画像部分のみを切りだして画像データの容量を抑制することが容易となる。
【００１９】
本発明において、前記第１シートは、前記前端縁から前記搬送方向に延びて前記スペーサの当該前端縁とは反対側まで達している第１切欠き部を備え、前記スペーサは、前記直交方向で前記第１切欠き部の一方側に位置する一方側スペーサ部分および他方側に位置する他方側スペーサ部分を備え、前記第２シートは、前記第１シートおよび前記第２シートの積層方向から見た場合に、前記切欠き部と重なる第２切欠き部を備えるものとすることができる。このようにすれば、第１シートと第２シートとの間に挟んだカード状媒体の前端縁を、第１切欠き部および第２切欠き部を介してイメージスキャナ用アダプタから外側に露出させることができる。従って、イメージスキャナが搬送経路上にあるカードを検出するための透過型フォトセンサを備える場合に、カード状媒体の前端縁によって透過型フォトセンサの検出光を遮ることができる。よって、透過型フォトセンサによって搬送経路上にあるカード状媒体の前端部を検出できる。
【００２０】
本発明において、前記第１シートおよび前記第２シートの少なくとも一方は、前記搬送方向に一定間隔で付された目盛を備えることが望ましい。このようにすれば、イメージスキャナがカード状媒体の画像を読み取っている間に、操作者がカード状媒体に触れたりして、媒体速度にムラが生じて読取画像が歪んだりする不具合が発生した場合などに、読取画像における目盛の画像の変形に基づいて、その歪みを検出し、操作者に報知することが可能となる。また、経年劣化や搬送ローラ等の汚れに起因して媒体速度にムラが生じて読取画像が歪んだりする不具合が発生した場合などにも、読取画像における目盛の画像の変形に基づいて、その歪みを検出し、操作者に報知することが可能となる。さらに、イメージスキャナ用アダプタにこのような目盛を設けておけば、イメージスキャナのメンテナンス時に、イメージスキャナにイメージスキャナ用アダプタの画像を読み取らせて、搬送速
度が正常か否かなどをチェックすることができる。
【００２１】
本発明において、前記第１シートまたは前記第２シートは、前記搬送方向の途中に第２の切欠き部を備えるものとすることができる。このようにすれば、カート状媒体を第１シートと第２シートとの間に挿入することが容易となる。また、カート状媒体を第１シートと第２シートの間から取り出すことが容易となる。
【００２２】
前記第２シートは、前記第１シートに載置された前記カード状媒体の前記第２シートの側の面に記載された記号列を所定の位置に配置するためのガイド部を備えることが望ましい。このようにすれば、第１シートと第２シートとの間に挟んだカート状媒体の位置や姿勢を規定することが容易となる。
【００２３】
本発明において、前記ガイド部は、前記第２シートに印刷されて前記搬送方向に延びる直線、前記第２シートに印刷されて前記直交方向に延びる直線、または、前記第２シートに印刷されて前記記号列を包囲可能な枠線、であるものとすることができる。このようにすれば、ガイド部を設けることが容易である。また、第２シートに印刷されたガイド部を備えれば、カード状媒体を読み取った画像中にガイド部が現れる。従って、画像中にあるガイド部を基準として、画像データの必要範囲のみを抽出することが容易となる。よって、画像の処理時間の短縮につながる。
【００２４】
本発明において、前記第１シートおよび前記第２シートは、可視光線を透過せず、赤外線を透過するものとすることができる。このようにすれば、カード状媒体の表面および裏面に個人情報などが記載されている場合などに、カード状媒体をイメージスキャナ用アダプタに保持させれば、これらの情報が第三者に知られてしまうことを回避できる。
【００２５】
この場合において、前記第２シートは、前記第１シートに載置された前記カード状媒体の前記第２シートの側の面に記載された記号列を所定の位置に配置するためのガイド部を備え、前記ガイド部は、前記第２シートに形成され、前記記号列を当該第２シートから露出させることが可能な開口部であるものとすることができる。このようにすれば、第１シートおよび第２シートが可視光線を透過しない場合でも、第１シートと第２シートとの間に挟んだカート状媒体の位置や姿勢を規定することが容易となる。また、カード状媒体を識別するのに必要な情報を、カード状媒体がイメージスキャナ用アダプタに挿入された状態で開口部から認識できる。
【００２６】
次に、本発明のイメージスキャナは、上記のイメージスキャナ用アダプタと、前記所定規格の前記カードを搬送するための搬送経路と、前記搬送経路に沿って前記カードよりも薄いカード状媒体を保持した前記イメージスキャナ用アダプタを搬送する搬送機構と、前記搬送経路を間に挟んだ両側に配置された第１イメージセンサおよび第２イメージセンサと、前記第１イメージセンサによる第１画像読取位置および前記第２イメージセンサによる第２画像読取位置よりも前記搬送方向の上流側で、前記イメージスキャナ用アダプタまたは前記カード状媒体を検出する透過型フォトセンサと、前記透過型フォトセンサからの信号に基づいて前記第１イメージセンサおよび前記第２イメージセンサを駆動して、前記第１画像読取位置を通過する前記カード状媒体の前記第１シートの側の第１面の画像を読み取るとともに、前記第２画像読取位置を通過する前記カード状媒体の前記第２シートの側の第２面の画像を読み取る制御部と、を有し、前記第１イメージセンサおよび前記第２イメージセンサのそれぞれは、前記搬送経路を搬送される前記イメージスキャナ用アダプタに可視光線の画像読取光を照射することを特徴とする。
【００２７】
本発明のイメージスキャナによれば、カード状媒体は、イメージスキャナ用アダプタに保持された状態で所定規格のカードを搬送するための搬送経路に沿って搬送される。従っ
て、カード状媒体の形状が不揃いであっても、イメージスキャナが搬送中にカード状媒体の詰まりを発生させることがなく、カードを損傷させることもない。また、イメージスキャナは、第１画像読取位置および第２画像読取位置の搬送方向の上流側に配置された透過型フォトセンサからの出力に基づいて、第１イメージセンサおよび第２イメージセンサを駆動する。従って、第１イメージセンサおよび第２イメージセンサにより、第１画像読取位置および第２画像読取位置を通過するカード状媒体の表面および裏面を読み取ることができる。
【００２８】
また、本発明の別の形態のイメージスキャナは、第１シートおよび第２シートが可視光線を透過せず赤外線を透過する上記のイメージスキャナ用アダプタと、前記所定規格の前記カードを搬送するための搬送経路と、前記搬送経路に沿って前記カードよりも薄いカード状媒体を保持した前記イメージスキャナ用アダプタを搬送する搬送機構と、前記搬送経路を間に挟んだ両側に配置された第１イメージセンサおよび第２イメージセンサと、前記第１イメージセンサによる第１画像読取位置および前記第２イメージセンサによる第２画像読取位置よりも前記搬送方向の上流側で、前記イメージスキャナ用アダプタまたは前記カード状媒体を検出する透過型フォトセンサと、前記透過型フォトセンサからの信号に基づいて前記第１イメージセンサおよび前記第２イメージセンサを駆動して、前記第１画像読取位置を通過する前記カード状媒体の前記第１シートの側の第１面の画像を読み取るとともに、前記第２画像読取位置を通過する前記カード状媒体の前記第２シートの側の第２面の画像を読み取る制御部と、を有し、前記第１イメージセンサおよび前記第２イメージセンサのそれぞれは、前記搬送経路を搬送される前記イメージスキャナ用アダプタに赤外線の画像読取光を照射することを特徴とする。
【００２９】
本発明のイメージスキャナによれば、カード状媒体は、イメージスキャナ用アダプタに保持された状態で所定規格のカードを搬送するための搬送経路に沿って搬送される。従って、カード状媒体の形状が不揃いであっても、イメージスキャナが搬送中にカード状媒体の詰まりを発生させることがなく、カードを損傷させることもない。また、イメージスキャナは、第１画像読取位置および第２画像読取位置の搬送方向の上流側に配置された透過型フォトセンサからの出力に基づいて、第１イメージセンサおよび第２イメージセンサを駆動する。従って、第１イメージセンサおよび第２イメージセンサにより、第１画像読取位置および第２画像読取位置を通過するカード状媒体の表面および裏面を読み取ることができる。さらに、第１イメージセンサおよび第２イメージセンサが照射する画像読取光が赤外線なので、第１シートおよび第２シートが、可視光線を透過せず、赤外線を透過する場合でも、カード状媒体の表面画像および裏面画像を取得できる。
【発明の効果】
【００３０】
本発明によれば、カード状媒体は第１シートと第２シートとの間に挟まれた状態でイメージスキャナ用アダプタに保持される。また、イメージスキャナはイメージスキャナ用アダプタに保持された状態のカード状媒体を搬送する。従って、カード状媒体の形状が不揃いであっても、イメージスキャナが搬送中にカード詰まりを発生させることがなく、カードを損傷させることもない。
【図面の簡単な説明】
【００３１】
【図１】本発明を適用したイメージスキャナの外観斜視図である。
【図２】外装ケースを取り外したイメージスキャナの斜視図である。
【図３】イメージスキャナの縦断面図である。
【図４】イメージスキャナの制御系の概略ブロック図である。
【図５】紙カード（通知カード）の説明図である。
【図６】実施例のイメージスキャナ用アダプタの説明図である。
【図７】変形例１のイメージスキャナ用アダプタの説明図である。
【図８】変形例２のイメージスキャナ用アダプタの説明図である。
【図９】変形例３のイメージスキャナ用アダプタの説明図である。
【図１０】変形例８のイメージスキャナ用アダプタの説明図である。
【図１１】変形例９のイメージスキャナ用アダプタの説明図である。
【図１２】変形例１０のイメージスキャナ用アダプタの説明図である。
【発明を実施するための形態】
【００３２】
（イメージスキャナ）
図１は本発明を適用したイメージスキャナの外観斜視図である。図２は外装ケースを取り外したイメージスキャナの斜視図である。図３はイメージスキャナの縦断面図である。図４はイメージスキャナの制御系を示す概略ブロック図である。本例のスキャナ１（イメージスキャナ）は、ＩＳＯ規格のＩＤ−１（ＪＩＳ  ＩＤ−１：所定規格）のクレジットカード等と同じ形状のカード(以下、ＩＳＯカード２という）の表面および裏面を読み取る。ＩＳＯ規格のＩＤ-１では、カードの長さ寸法、幅寸法、および厚さ寸法は、８５．６０ｍｍ、５３．９８ｍｍｍ、０．７６ｍｍと規定されている。また、本例のスキャナ１は、後述するアダプタ３（イメージスキャナ用アダプタ）を用いることにより、厚さ寸法が、ＩＳＯカード２よりも薄い紙カード４（カード状媒体）の表面および裏面を読み取る。
【００３３】
図１に示すように、スキャナ１は、直方体形状の筐体５と、筐体５の後面に設けられたスロット６と、を備える。図２に示すように、筐体５の内部には、第１イメージセンサ７、第２イメージセンサ８、ＩＳＯカード２を搬送するための搬送経路９、および、搬送経路９に沿ってＩＳＯカード２およびアダプタ３を搬送する搬送機構１０、を備える。
【００３４】
第１イメージセンサ７および第２イメージセンサ８は搬送経路９を間に挟んだ上下の両側に配置されている。図３に示すように、搬送経路９は、スロット６から第１イメージセンサ７の第１画像読取位置Ａおよび第２イメージセンサ８の第２画像読取位置Ｂをこの順番に経由して直線状に延びる。以下の説明では、搬送経路９の延設方向をスキャナ１の前後方向Ｘとする。上下方向Ｚおよび前後方向Ｘと直交する直交方向をスキャナ１の幅方向Ｙとする。また、前後方向Ｘにおいてスロット６から搬送経路９が延びている側を前方Ｘ１、その反対側を後方Ｘ２とする。また、前後方向Ｘにおいて、画像の読み取り時に搬送機構１０がＩＳＯカード２およびアダプタ３を搬送する方向（スロット６から前方Ｘ１に向かう方向）を搬送方向Ｍ１とし、その反対方向を排出方向Ｍ２とする。
【００３５】
第１イメージセンサ７および第２イメージセンサ８のそれぞれは、ラインイメージセンサである。第１イメージセンサ７および第２イメージセンサ８のそれぞれは、搬送経路９を幅方向Ｙに横断した姿勢で配置されている。第１イメージセンサ７は搬送経路９の下方に位置してそのセンサ面を搬送経路９（上方）に向けている。第２イメージセンサ８は搬送経路９の上方に位置してそのセンサ面を搬送経路９（下方）に向けている。第１イメージセンサ７は、第１画像読取位置Ａを通過するカード状媒体の裏面（下面）を撮像（読み取り）し、第２イメージセンサ８は、第２画像読取位置Ｂを通過するカード状媒体の表面（上面）を撮像（読み取り）する。
【００３６】
第１イメージセンサ７および第２イメージセンサ８のそれぞれは、可視光、赤外光および紫外光による画像の読み取りが可能である。すなわち、第１イメージセンサ７および第２イメージセンサ８のそれぞれは、搬送経路９を搬送されるＩＳＯカード２等に、画像読取光として、可視光、赤外光および紫外光を、選択的、或いは、順番に、照射して、可視光画像、赤外光画像、紫外画像を取得することができる。
【００３７】
図２に示すように、搬送機構１０は、駆動源として搬送モータ１１を備える。また、搬
送機構１０は、第１イメージセンサ７および第２イメージセンサ８の後方Ｘ２（搬送方向Ｍ１の上流側）に配置された第１搬送ローラ対１３と、前方Ｘ１に配置された第２搬送ローラ対１４と、を備える。
【００３８】
第１搬送ローラ対１３は、搬送経路９の上方に位置する第１駆動ローラ１５と、搬送経路９の下側に位置する第１従動ローラ１６と、を備える。搬送モータ１１の回転は駆動力伝達機構１７を介して第１駆動ローラ１５に伝達される。駆動力伝達機構１７はベルト１８を備える。第１駆動ローラ１５は、幅方向Ｙに延びる第１駆動軸１９と、駆動軸の幅方向Ｙの中央部分に固定された第１駆動ローラ本体２０と、第１駆動軸１９の幅方向Ｙの一方端に設けられた第１プーリ２１と、を備える。第１駆動軸１９は上側フレーム２２に回転可能に支持されている（図３参照）。搬送モータ１１の回転は、ベルト１８を介して、第１プーリ２１に伝達される。第１従動ローラ１６は、幅方向Ｙに延びる第１回転軸２３と、第１回転軸２３の幅方向Ｙの中央部分に固定された第１従動ローラ本体２４とを備える。第１回転軸２３は下側フレーム２５に回転可能に支持されている。なお、上側フレーム２２は下側フレーム２５の上方に固定されており、上側フレーム２２および下側フレーム２５はフレーム２６を構成する。
【００３９】
第２搬送ローラ対１４は、搬送経路９の上方に位置する第２駆動ローラ２７と、搬送経路９の下側に位置する第２従動ローラ２８と、を備える。搬送モータ１１の回転は駆動力伝達機構１７を介して第２駆動ローラ２７に伝達される。第２駆動ローラ２７は、幅方向Ｙに延びる第２駆動軸２９と、第２駆動軸２９の幅方向Ｙの中央部分に固定された第２駆動ローラ本体３０と、第２駆動軸２９の幅方向Ｙの一方端に設けられた第２プーリ３１と、を備える。第２駆動軸２９は上側フレーム２２に回転可能に支持されている。搬送モータ１１の回転は、駆動力伝達機構１７のベルトを介して、第２プーリ３１に伝達される。図３に示すように、第２従動ローラ２８は、幅方向Ｙに延びる第２回転軸３３と、第２回転軸３３の幅方向Ｙの中央部分に固定された第２従動ローラ本体３４とを備える。第２回転軸３３は下側フレーム２５に回転可能に支持されている。
【００４０】
ここで、搬送経路９の直交方向の寸法はＩＳＯカード２の幅寸法とほぼ等しい。図２に示すように、下側フレーム２５における搬送経路９の直交方向の両側には、ＩＳＯカード２が直線的に搬送されるように規制ガイドする搬送ガイド部３５が設けられえている。
【００４１】
また、スキャナ１は、搬送経路９上に位置するＩＳＯカード２を検出するための第１位置センサ３７、第２位置センサ３８および第３位置センサ３９を備える。第１位置センサ３７は、第１駆動軸１９よりも後方Ｘ２に位置する。すなわち、第１位置センサ３７の第１検出位置Ｃは、第１搬送ローラ対１３によるＩＳＯカード２の第１ニップ位置Ｆよりも搬送方向Ｍ１の上流側に位置する。第２位置センサ３８は第１駆動軸１９と第１イメージセンサ７との間に位置する。すなわち、第２位置センサ３８の第２検出位置Ｄは、第１イメージセンサ７による第１画像読取位置Ａの搬送方向Ｍ１の上流側に位置し、第１ニップ位置Ｆよりも下流側に位置する。第３位置センサ３９は第２駆動軸２９の前方Ｘ１に位置する。すなわち、第３位置センサ３９の第３検出位置Ｅは、第２イメージセンサ８による第２画像読取位置Ｂおよび第２搬送ローラ対１４による第２ニップ位置Ｇよりも搬送方向Ｍ１の下流側に位置する。
【００４２】
第１位置センサ３７、第２位置センサ３８および第３位置センサ３９は、それぞれ透過形フォトセンサである。第１位置センサ３７、第２位置センサ３８および第３位置センサ３９は、それぞれ、検査光を射出する発光部と検査光を受光する受光部とを備える。発光部と受光部とは、搬送経路９を間に挟んで上下に設置されている。搬送経路９に沿って搬送されるＩＳＯカード２等が各センサの検出位置を通過して、ＩＳＯカード２等によって検査光が遮られると、第１位置センサ３７、第２位置センサ３８および第３位置センサ３
９のそれぞれは、ＩＳＯカード２を検出した旨の信号を出力する。
【００４３】
さらに、スキャナ１は、制御部４１を備える。図４に示すように、制御部４１の入力側には、第１位置センサ３７、第２位置センサ３８、および、第３位置センサ３９が接続されている。制御部４１の出力側には搬送モータ１１が接続されている。また、制御部４１には、第１イメージセンサ７、第２イメージセンサ８、および、メモリ４２が接続されている。さらに、制御部４１には、通信インターフェース４３を介して、上位機器４４に接続されている。
【００４４】
制御部４１は、第１位置センサ３７、第２位置センサ３８からの出力に基づいて、搬送モータ１１、第１イメージセンサ７および第２イメージセンサ８を駆動制御して、ＩＳＯカード２の表面を読み取った表面画像の表面画像データと、裏面を読み取った裏面画像の裏面画像データとを取得する。また、制御部４１は、取得した表面画像データおよび裏面画像データをメモリ４２に記憶保持する。さらに、制御部４１は、メモリ４２に記憶保持した表面画像データおよび裏面画像データを、上位機器４４からの指令に応じて、適宜の画像データを上位機器４４へ送信する。
【００４５】
（画像読取動作）
ＩＳＯカード２がスロット６から搬送経路９に挿入されて第１検出位置Ｃに達すると、ＩＳＯカード２の前端部によって第１位置センサ３７の検査光が遮られる。これにより、第１位置センサ３７からＩＳＯカード２が検出された旨の信号が出力されるので、制御部４１は、搬送モータ１１を駆動する。これにより、第１搬送ローラ対１３および第２搬送ローラ対１４が回転して、ＩＳＯカード２が搬送経路９に沿って搬送方向Ｍ１（前方Ｘ１）に搬送される。
【００４６】
その後、ＩＳＯカード２が第２検出位置Ｄに達すると、搬送されるＩＳＯカード２の前端部によって第２位置センサ３８の検査光が遮られる。これにより、第２位置センサ３８からＩＳＯカード２が検出された旨の信号が出力されるので、制御部４１は、第１イメージセンサ７および第２イメージセンサ８を駆動制御して、搬送されているＩＳＯカード２の表面および裏面の読み取りを行う。ＩＳＯカード２の読み取りに際しては、第１イメージセンサ７および第２イメージセンサ８のそれぞれは、各画像読取位置（第１画像読取位置Ａおよび第２画像読取位置Ｂ）を搬送されるＩＳＯカード２に、予め定めた所定の読取時間だけ画像読取光を照射して、表面画像データおよび裏面画像データを取得する。読取時間は、ＩＳＯカード２が第１画像読取位置Ａおよび第２画像読取位置Ｂを通過するのに十分な時間である。また、後述するように、アダプタ３に保持された紙カード４が第１画像読取位置Ａおよび第２画像読取位置Ｂを通過するのに十分な時間である。そして、制御部４１は、第１イメージセンサ７および第２イメージセンサ８によって取得される表面画像データおよび裏面画像データをメモリ４２に記憶保持する。さらに、制御部４１は、メモリ４２に保存した表面画像データおよび裏面画像データを、上位機器４４からの指令に応じて、適宜の画像データを上位機器４４へ送信する。
【００４７】
その後、制御部４１は、搬送モータ１１を駆動してから所定の搬送時間が経過すると、搬送モータ１１を停止させる。しかる後に、制御部４１は、搬送モータ１１を逆方向に駆動する。これにより、スキャナ１は、ＩＳＯカード２を排出方向Ｍ２（後方Ｘ２）に向かって搬送して、スロット６から排出する。なお、所定の搬送時間は、搬送モータ１１の駆動によって、ＩＳＯカード２の搬送方向Ｍ１の後端が第２イメージセンサ８の第２画像読取位置Ｂを通過することが可能な時間である。また、後述するように、アダプタ３が第２イメージセンサ８の第２画像読取位置Ｂを通過することが可能な時間である。ここで、制御部４１が搬送モータ１１を停止して逆方向に駆動する際には、第３検出位置Ｅにおいて第３位置センサ３９がＩＳＯカード２を検出している。従って、制御部４１は、第３位置
センサ３９からの出力に基づいて、ＩＳＯカード２が搬送経路９上にあることを確認している。
【００４８】
（アダプタ）
次に、スキャナ１によって、ＩＳＯカード２よりも薄いカード状媒体の表面および裏面を読み取る際に用いるアダプタ３（イメージスキャナ用アダプタ）を説明する。まず、ＩＳＯカード２よりも薄い紙カード４（カード状媒体）としては、例えば、マイナンバーの通知カードがある。図５はマイナンバーの通知カードの説明図である。
【００４９】
紙カード４（通知カード）は、台紙４７の台紙部分に印刷された媒体であり、カード形状のカット線４８に囲まれている。ユーザーはカット線４８に沿って内側を切り抜いて紙カード４（カード状媒体）として使用する。紙カード４の厚み寸法は、０．１ｍｍから０．２ｍｍである。
【００５０】
図６は、紙カード４を装着した状態の実施例１のアダプタ３の平面図である。アダプタ３は、短手幅方向の寸法が、ＩＳＯカード２の短手幅と等しい長方形の透明な樹脂等のシート２枚を短辺２箇所あるいは１箇所で貼合わせた構造である。アダプタ３における２枚のシートの貼合わせ部は、アダプタ３全体の厚さ寸法がＩＳＯカード２と同等以下となるように、且つ、紙カード４を装着できる隙間を設けるように、スペーサ（中間部材）を挟んで２枚のシートが固定されている（図６の拡大図参照）。アダプタ３の長手方向の全長はＩＳＯカード２より長くなっている。
【００５１】
なお、アダプタ３の長手方向は、搬送経路９に挿入されたアダプタ３の前後方向Ｘである。以下では、アダプタ３の長手方向を、前後方向Ｘ（搬送方向Ｍ１）とし、前後方向Ｘにおける搬送方向Ｍ１の下流側（前方）をアダプタ３の前方Ｘ１、その反対側をアダプタ３の後方Ｘ２とする。また、アダプタ３の短手幅方向は、搬送経路９に挿入されたアダプタ３の幅方向Ｙである。従って、以下では、アダプタ３の短手幅方向を幅方向Ｙとする。幅方向Ｙは前後方向（搬送方向Ｍ１）と直交する直交方向である。
【００５２】
より具体的には、アダプタ３は、表面に紙カード４が載置される透明な第１シート５１と、第１シート５１の表面の前端部分に固定された一定厚さの透明な第１スペーサ５２と、第１シート５１の表面の後端部分に固定された一定厚さの透明な第２スペーサ５３（第２のスペーサ）と、第１スペーサ５２および第２スペーサ５３に固定されて第１シート５１に重ねられ、紙カード４を第１シート５１とは反対側から被う透明な第２シート５４と、を備える。第１シート５１は樹脂シートであり、可撓性を有する。第１シート５１の平面形状は全体として長方形であり、四隅にはカーブが設けられている。第１シート５１の前端縁５１ａおよび後端縁５１ｂは、幅方向Ｙに延びている。第１シート５１の前後方向Ｘ（搬送方向Ｍ１）の長さ寸法は、ＩＳＯカード２の前後方向Ｘの長さ寸法よりも長い。第１シート５１の幅方向Ｙの幅寸法は、ＩＳＯカード２の幅方向Ｙの幅寸法と同一である。第１シート５１、第１スペーサ５２（または第２スペーサ５３）および第２シート５４の厚みを合計した合計寸法は、ＩＳＯカード２の厚さ寸法以下である。
【００５３】
第１スペーサ５２は、第１シート５１の前端縁５１ａに沿って固定され当該第１シート５１の表面を幅方向Ｙに延びている。第２スペーサ５３は、第１シート５１の後端縁に沿って固定され当該第１シート５１の表面を幅方向Ｙに延びている。第１スペーサ５２および第２スペーサ５３のそれぞれは、透明な両面テープである。前後方向Ｘにおける第１スペーサ５２と第２スペーサ５３との間の距離は、ＩＳＯカード２の前後方向Ｘの長さ寸法よりも長い。なお、第１スペーサ５２および第２スペーサ５３は、両面テープでなくてもよく、たとえば、透明な樹脂製のシートで形成し、第１シート５１および第２シート５４に接着剤で固定したり、圧着したりしてもよい。
【００５４】
第２シート５４は樹脂シートであり、可撓性を有する。第２シート５４は、第１シート５１と同一の形状を備える。第１シート５１と第２シート５４との積層方向から見た場合に、第２シート５４は第１シート５１とは完全に重なっており、第１シート５１の外周縁と第２シート５４の外周縁とは一致している。
【００５５】
また、アダプタ３には、紙カード４の装着位置の基準となる位置決めのためのガイド部５６がシルク印刷されている。一方、紙カード４には、位置を合わせのための記号列５７（位置マーク）が所定位置に印刷されている。記号列５７は、ガイド部５６から視認できれば、任意の文字列や記号でもよい。本例では、ガイド部５６は記号列５７を囲む枠形状である。
【００５６】
すなわち、第２シート５４は、第１シート５１に載置された紙カード４の第２シート５４の側の面に記載された記号列５７を所定の位置に配置するためのガイド部５６を備える。本例では、図６に示すように、ガイド部５６は、第２シート５４に印刷された特定の文字列（記号列５７）を包囲可能な枠線である。
【００５７】
紙カード４は、幅方向Ｙから第１シート５１、第２シート５４、第１スペーサ５２、第２スペーサ５３により区画された空間に挿入され、第１シート５１と第２シート５４との積層方向で第１シート５１と第２シート５４との間に挟まれた状態となる。ここで、第１スペーサ５２は第１シート５１の前端縁５１ａおよび第２シート５４の前端縁に沿って延びている。従って、紙カード４を第１スペーサ５２に沿って第１シート５１と第２シート５４との間に挿入すれば、紙カード４の姿勢を、その前端縁が第１シート５１の前端縁５１ａおよび第２シート５４の前端縁に沿って幅方向Ｙに延びる姿勢とすることが容易である。
【００５８】
また、紙カード４を第１シート５１と第２シート５４との間に挿入したときに、紙カード４の所定の文字列を、第２シート５４のガイド部５６（枠線）の内側に配置すれば、アダプタ３上における紙カード４の位置と姿勢を規定できる。
【００５９】
ここで、紙カード４は、台紙４７から、アダプタ３内に収まる大きさに切り取られているものであるが、粗く切り取られていて紙カード４がアダプタ３から幅方向Ｙにはみ出すことがある。この場合には、はみ出した端を折って、第１シート５１と第２シート５４との間に収納する。
【００６０】
（画像読取動作）
このように構成したアダプタ３は、第１シート５１と第２シート５４との間に紙カード４を入れてスキャナ１のスロット６に挿入する。ここで、アダプタ３がスロット６から搬送経路９に挿入さて第１検出位置Ｃに達すると、アダプタ３に保持された紙カード４の前端部によって第１位置センサ３７の検査光が遮られる。すなわち、アダプタ３（第１シート５１、第１スペーサ５２、第２スペーサ５３および第２シート５４）は透明なので、第１位置センサ３７の検査光は、紙カード４によって遮られる。これにより、第１位置センサ３７から紙カード４が検出された旨の信号が出力されるので、制御部４１は、搬送モータ１１を駆動して、第１搬送ローラ対１３および第２搬送ローラ対１４を回転させて、紙カード４を保持したアダプタ３を搬送経路９に沿って前方Ｘ１に搬送する。
【００６１】
そして、アダプタ３が第２検出位置Ｄに達すると、搬送される紙カード４の前端部によって第２位置センサ３８の検査光が遮られる。これにより、第２位置センサ３８から紙カード４が検出された旨の信号が出力されるので、制御部４１は第１イメージセンサ７および第２イメージセンサ８を駆動制御して、搬送されている紙カード４の表面および裏面の
読み取りを行う。この際に、第１イメージセンサ７および第２イメージセンサ８のそれぞれは、それぞれの画像読取位置（第１画像読取位置Ａおよび第２画像読取位置Ｂ）を搬送される紙カード４に、予め定めた所定の読取時間だけ画像読取光を照射して、表面画像データおよび裏面画像データを取得する。読取時間は、アダプタ３が第１画像読取位置Ａおよび第２画像読取位置Ｂを通過するのに十分な時間とされる。また、制御部４１は、表面画像データおよび裏面画像データをメモリ４２に記憶保持するとともに、上位機器４４からの指令に応じて、適宜の画像データを上位機器４４へ送信する。
【００６２】
その後、制御部４１は、搬送モータ１１を駆動してから所定の搬送時間が経過すると、搬送モータ１１を停止させ、しかる後に、搬送モータ１１を逆方向に駆動する。これにより、スキャナ１は、紙カード４を保持するアダプタ３をスロット６から排出する。ここで、所定の搬送時間は、アダプタ３に保持された紙カード４が第２イメージセンサ８の第２画像読取位置Ｂを通過することが可能な時間である。なお、制御部４１が搬送モータ１１を停止する際には、第３位置センサ３９から紙カード４が検出された旨の信号が出力されており、制御部４１は、紙カード４が搬送経路９上にあることを確認している。
【００６３】
（作用効果）
アダプタ３は、その幅方向Ｙの寸法がＩＳＯカード２と同様である。従って、ＩＳＯカード２と同様に、スキャナ１の搬送機構１０によって搬送経路９に沿って搬送される。また、アダプタ３が搬送される際には、搬送ガイド部３５によって直線的に搬送されるように規制ガイドされる。
【００６４】
また、紙カード４は第１シート５１と第２シート５４との間に挟まれた状態でアダプタ３に保持される。従って、紙カード４の形状が不揃いであっても、搬送中に紙カード４の詰まりを発生させることがなく、紙カード４を損傷させることもない。さらに、第１シート５１と第２シート５４とはスペーサ５２、５３を介して積層されているので、第１シート５１と第２シート５４との間に紙カード４を配置することが容易である。また、第１シート５１、スペーサ５２、５３、および、第２シート５４は、透明なので、スキャナ１は紙カード４の表面および裏面を読み取ることができる。
【００６５】
また、アダプタ３は第２シート５４に印刷されたガイド部５６を備えるので、紙カード４の表面を読み取った表面画像中にはガイド部５６が現れる。従って、表面画像中にあるガイド部５６を基準として、表面画像データの必要範囲のみを抽出することが容易となる。これにより、画像処理時間を短縮できる。
【００６６】
さらに、アダプタ３を用いれば、以下の効果を得ることができる。（１）ラフに切り取った紙カード４であっても処理できるアダプタ３を利用することにより、安価な費用で、紙カード４を傷つけることなく高品質の画像読取を実施することができる。（２）スキャナ１を使用する場所に専用紙パンチを備える必要がない。（３）顧客の紙カード４を傷付けることなく必要な画像をスキャンできる。（４）スキャナ１自体の物理的変更は不要である。また、制御ソフトを変更して読取時間や搬送時間を変更するだけで他機種に流用可能であり汎用性が高い。（５）紙カード４の紙詰まり、画像歪み等の問題が無くなり、読取品質が向上する。（６）簡易な構造であるため、アダプタ３の製作費用が安価となる。
【００６７】
ここで、ガイド部５６は、第２シート５４に印刷されて前後方向Ｘに延びる直線とすることができる。例えば、記号列５７に対するアンダーラインのように、記号列５７に沿って前後方向Ｘに延びる直線とすることができる。さらに、ガイド部５６は、第２シート５４に印刷されて幅方向Ｙに延びる直線としてもよい。また、ガイド部５６は刻印や穴として設けても良い。さらに、ガイド部５６は、第１シート５１に設けてもよい。また、ガイド部５６は、第１シート５１および第２シート５４の双方に設けてもよい。
【００６８】
また、第２スペーサ５３は、省略することができる。この場合には、第１シート５１の後端部分と第２シート５４の後端部分を離間させて、紙カード４を第１シート５１と第２シート５４の間に挿入することができる。従って、アダプタ３への紙カード４の装着が容易である。
【００６９】
なお、アダプタ３は紙カード４の前後に第１スペーサ５２および第２スペーサ５３による貼合わせ部分があるので、ＩＳＯカード２より前後方向Ｘ（長手方向）の長さが長くなる。そのため、全画像を読み取ろうとすると画像データサイズが大きくなり処理時間が長くなったり、上位機器４４への画像データ送信の通信時間が長くなったりする懸念がある。しかし、目的の事務処理に応じて必要な画像が異なるので、必要な画像データのみを切り出し、それ以外の画像データをオミットして処理することにより、画像データサイズを小さくすることができ、処理時間を短縮することができる。例えば、紙カード４が図５に示す通知カードである場合には、法規制により読み取り禁止領域（情報）があるうえ、銀行の窓口処理で必要な情報すなわち読み取りたい画像情報は、限られている。そこで、必要な情報部分を位置マークとして設定し、アダプタ３のガイド部５６の枠を必要な情報部分に合わせておけば、ガイド部５６の枠内の画像のみを読み取りガイド部５６内以外の画像データをオミットすることで処理する画像データサイズを小さくし、画像処理の時間を短くすることができる。
【００７０】
（変形例１）
図７は変形例１のアダプタ３Ａの平面図である。本例のアダプタ３Ａは、上記のアダプタ３に、第１遮光部６１（スタートマーク）、および、第２遮光部６２（エンドマーク：第２の遮光部）を備える。これにより、スキャナ１が媒体の長さをより正確に認識できる。なお、変形例１のアダプタ３Ａは実施例１のアダプタ３と第１遮光部６１および第２遮光部６２が設けられている他は、対応する構成を備える。従って、第１遮光部６１および第２遮光部６２を説明して、他の説明は省略する。
【００７１】
第１遮光部６１は、第１シート５１の前端部分に設けられている。より具体的には、第１スペーサ５２の後方Ｘ２に隣り合う位置において、一定幅で幅方向Ｙに延びている。第１遮光部６１は、シルク印刷等によって第１シート５１に施された黒色の帯である。第２遮光部６２は、第１シート５１の後端部分に設けられている。より具体的には、第２スペーサ５３の前方Ｘ１に隣り合う位置において、一定幅で幅方向Ｙに延びている。第２遮光部６２は、シルク印刷等によって第１シート５１に施された黒色の帯である。
【００７２】
本例においても、アダプタ３Ａの幅方向Ｙの寸法はＩＳＯカード２と同様なので、アダプタ３ＡはＩＳＯカード２と同様に、スキャナ１の搬送機能によって搬送経路９に沿って搬送することができる。また、紙カード４は第１シート５１と第２シート５４との間に挟まれた状態でアダプタ３Ａに保持される。従って、紙カード４の形状が不揃いであっても、搬送中にカード詰まりを発生させることがなく、カードを損傷させることもない。さらに、第１シート５１と第２シート５４とは第１スペーサ５２および第２スペーサ５３を介して積層されているので、第１シート５１と第２シート５４との間に紙カード４を配置することが容易である。また、アダプタ３Ａは、紙カード４において、画像の読み取りが必要な部分と重なる部分が透明なので、スキャナ１は紙カード４の表面および裏面を読み取ることができる。
【００７３】
さらに、本例では、第１シート５１が第１遮光部６１を備えるので、紙カード４を保持したアダプタ３Ａがスキャナ１の搬送経路９に沿って搬送されたときに、第１遮光部６１によって各センサの検出光を遮ることができる。従って、搬送経路９上にあるアダプタ３Ａを検出できる。
【００７４】
また、本例では、スキャナ１によってアダプタ３Ａに保持された紙カード４の表面および裏面が読み取られたときに、画像中に現れる第１遮光部６１および第２遮光部６２によって、紙カード４の画像の範囲を把握できる。従って、画像データから不必要な領域をオミットすることが容易であり、画像データから必要な画像部分のみを切りだして、画像データの容量を抑制することが容易となる。
【００７５】
なお、第１遮光部６１および第２遮光部６２は、第２シート５４の側に設けられていてもよい。また、上記の例と同様に、第１シート５１および第２シート５４にガイド部５６を設けてもよく、第２スペーサ５３を省略してもよい。
【００７６】
（変形例２）
図８は変形例２のアダプタ３Ｂの平面図である。本例のアダプタ３Ｂは、各位置センサ３７、３８、３９の検知位置に切り欠きを備える。これにより、紙カード４の前端縁を直接に各位置センサ３７、３８、３９に検知させることができ、透明なアダプタ３Ｂの端部の光学センサでの誤検知を回避できる。（アダプタ３Ｂを、端部の貼り付け部で検知すると長いカードと誤認識するおそれがある。）。なお、変形例２のアダプタ３Ｂは実施例のアダプタ３と対応する構成を備えるので、対応する構成には同一の符号を付して、その説明は省略する。
【００７７】
より具体的には、本例のアダプタ３Ｂでは、第１シート５１は、その前端部分に第１切欠き部５１ｃを備える。第１切欠き部５１ｃは、第１シート５１の前端縁５１ａから前後方向Ｘに延びて第１スペーサ５２の後方Ｘ２（前端縁５１ａとは反対側）まで達している。第１スペーサ５２は、幅方向Ｙで第１切欠き部５１ｃの一方側に位置する一方側スペーサ部分５２ａと、他方側に位置する他方側スペーサ部分５２ｂと、を備える。第２シート５４は、第１シート５１および第２シート５４の積層方向から見た場合に、第１切欠き部５１ｃと重なる第２切欠き部５４ａを備える。ここで、アダプタ３Ｂにおける第１切欠き部５１ｃおよび第２切欠き部５４ａの形成位置は、アダプタ３Ｂを搬送経路９に沿って搬送したときに、各位置センサ３７、３８、３９の検査光が照射される位置である。
【００７８】
このようにすれば、第１シート５１と第２シート５４との間に挟んだ紙カード４の前端縁４ａを、第１切欠き部５１ｃおよび第２切欠き部を介してアダプタ３Ｂから外側に露出させることができる。従って、スキャナ１の各位置センサ３７、３８、３９の検査光を、アダプタ３Ｂから露出する紙カード４の前端縁４ａによって遮ることができる。よって、透過型フォトセンサによって搬送経路９上にある紙カード４の前端縁４ａを検出できる。なお、本例においても、第１シート５１および第２シート５４にガイド部５６を設けてもよく、第２スペーサ５３を省略してもよい。
【００７９】
（変形例３）
図９は変形例３のアダプタ３Ｃの平面図である。本例のアダプタ３Ｃは、実施例１のアダプタ３の表裏片側または両面にエンコーダマーク（一定間隔のゼブラパターン等）を設けたものである。すなわち、本例のアダプタ３Ｃは、第１シート５１および第２シート５４の少なくとも一方に、前後方向Ｘに一定間隔で付された目盛６５を備える。
【００８０】
本例によれば、スキャナ１がカード状媒体の画像を読み取っている間に、操作者がカード状媒体に触れたりして、媒体速度にムラが生じて読取画像が歪んだりする不具合が発生した場合などに、読取画像における目盛６５の画像の変形に基づいて、その歪みを検出し、操作者に報知することが可能となる。また、経年劣化や搬送ローラ等の汚れに起因して媒体速度にムラが生じて読取画像が歪んだりする不具合が発生した場合などにも、読取画像における目盛６５の画像の変形に基づいて、その歪みを検出し、操作者に報知すること
が可能となる。さらに、イメージスキャナ用アダプタ３Ｃにこのような目盛６５を設けておけば、スキャナ１のメンテナンス時に、スキャナ１にイメージスキャナ用アダプタ３Ｃの画像を読み取らせて、搬送速度が正常か否かなどをチェックすることができる。なお、変形例３のアダプタ３Ｃの目盛６５は、実施例および他の変形例に採用できる。
【００８１】
（変形例４）
変形例４のアダプタ３では、前後方向Ｘの長さ、すなわち、両端の貼り付け部の距離寸法（第１スペーサ５２と第２スペーサ５３との間の間隔）を、より、長く設ける。このようにすれば、幅はＩＳＯカード２と同一であるが、長さが長い紙カード４でも読み取ることができる。例えば、紙カード４ならば、通知文書部分を切り離したのみで一辺しか切っていないカードでも、紙カード４を傷つけることなく画像を読み取ることができる。
【００８２】
（変形例５）
変形例５のアダプタ３では、アダプタ３Ｂの使用方法の説明や注意を裏面や空白領域、読み取り対象外の領域などに印刷する。これらの情報は、第１シート５１および第２シート５４へのガイド部５６の印刷と同時印刷することができる。
【００８３】
（変形例６）
変形例６のアダプタ３では、第１シート５１および第２シート５４にスリ傷防止加工を施す。スリ傷防止加工は、例えば、第１シート５１および第２シート５４のそれぞれを、これらよりも硬度の高い透明な樹脂材料でコーティングするものである。
【００８４】
（実施例７）
実施例７のアダプタ３では、第１シート５１および第２シート５４は、可視光線を通さず赤外線を透過する材料から形成されている。可視光線を通さず赤外線を透過する材料の一例としては、黒色の染料系の色材を含有させた樹脂などである。また、第２シート５４は、ガイド部５６として、枠線に対応する開口部を備える。すなわち、ガイド部５６として、第２シート５４に印刷された記号列５７を第２シート５４から外側に露出される開口部を備える。
【００８５】
本例によれば、紙カード４が通知カードなどの場合に、役所の係員など機器の使用者が個人情報を見ることを防止できる。すなわち、紙カード４の表面および裏面に個人情報などが記載されている場合などに、紙カード４をアダプタ３に保持させることにより、これらの情報が第三者に知られてしまうことを回避できる。また、ガイド部５６を開口部としているので、第１シート５１および第２シート５４が可視光線を透過しない場合でも、記号列５７をガイド部５６（開口部）から露出させることにより、第１シート５１と第２シート５４との間に挟んだカート状媒体の位置や姿勢を規定することができる。ここで、開口部は、個人情報でない情報部分（図４に示す”通知カード”などの記号列５７）の印刷位置に穴をあけて作成すればよい。
【００８６】
一方、本例のアダプタ３を用いる場合には、スキャナ１において、第１イメージセンサ７および第２イメージセンサ８の画像読取光を赤外線とする。このようにすれば、第１イメージセンサ７および第２イメージセンサ８により、紙カード４の表面と裏面の赤外画像を取得することができる。
【００８７】
また、アダプタ３の第１シート５１および第２シート５４を、可視光線を通さず紫外線を透過する材料で形成してもよい。この場合、第１イメージセンサ７および第２イメージセンサ８の画像読取光を紫外線とすることにより、個人情報などが第三者に知られることなく、紙カード４の表面と裏面との紫外画像を取得することができる。さらに、可視光線を通さず赤外線または紫外線を透過する部材を、第１シート５１および第２シート５４の
第三者に知られたくない個人情報を覆う部分にのみ適用するようにしてもよい。
【００８８】
（変形例８）
図１０は変形例８のアダプタ３Ｄの平面図である。本例のアダプタ３Ｄは、アダプタ３Ｄの一端に保持用のフック用穴６７を設けている。より具体的には、第１シート５１および第２シート５４は、ＩＳＯカード２の前後方向Ｘの長さ寸法よりも長い矩形形状部分６８と、矩形形状部分６８から後方Ｘ２に突出する突出部分６９とを備えており、突出部分６９には、フック用穴６７が設けられている。第１シート５１と第２シート５４とが積層された状態では、第１シート５１のフック用穴６７と第２シート５４のフック用穴６７は重なる。
【００８９】
このようにすれば、アダプタ３Ｄを保管する場合などに、アダプタ３Ｄをフック等に係止できる。なお、突出部分６９およびフック用穴６７は、第１シート５１および第２シート５４のいずれか一方にのみに設けられていてもよい。
【００９０】
（変形例９）
図１１は変形例９のアダプタ３Ｅの平面図である。本例のアダプタ３Ｅは、紙カード４の出し入れが楽になるように２枚の透明シートのうち１枚の一部を切除して掴み部７１を設けている。すなわち、第２シート５４は、前後方向Ｘの途中に、幅方向Ｙの一方の端縁から他方の端縁の側に延びる掴み部７１（第２の切欠き部）を備える。
【００９１】
本例によれば、掴み部７１を介して第１シート５１と第２シート５４との間にある紙カード４に触ることができる。従って、紙カード４を第１シート５１と第２シート５４との間に挿入することが容易となる。また、紙カード４を第１シート５１と第２シート５４の間から取り出すことが容易となる。
【００９２】
（変形例１０）
図１２（ａ）は変形例１０のアダプタ３Ｆの平面図であり、図１２（ｂ）は変形例１０のアダプタ３Ｆの分解斜視図である。本例のアダプタ３Ｆは、表面に紙カード４が載置される透明な第１シート５１と、第１シート５１の表面の前端部分に固定された一定厚さの透明な第１スペーサ５２と、第１シート５１の表面の後端部分に固定された一定厚さの透明な第２スペーサ５３（第２のスペーサ）と、第１スペーサ５２および第２スペーサ５３に固定されて第１シート５１に重ねられ、第１シート５１とは反対側から紙カード４の全体を被う透明な第２シート５４と、を備える。なお、本例のアダプタ３Ｆは実施例１のアダプタ３と対応する構成を備えるので、対応する部分には同一の符号を付す。
【００９３】
第１シート５１は樹脂シートであり、可撓性を有する。第１シート５１の平面形状は全体として長方形であり、四隅にはカーブが設けられている。第１シート５１の前端縁５１ａおよび後端縁５１ｂは、幅方向Ｙに延びている。第１シート５１の前後方向Ｘの長さ寸法は、ＩＳＯカード２の前後方向Ｘの長さ寸法よりも長い。第１シート５１の幅方向Ｙの幅寸法は、ＩＳＯカード２の幅方向Ｙの幅寸法と同一である。
【００９４】
第１スペーサ５２は、第１シート５１の前端縁５１ａに沿って固定され当該第１シート５１の表面を幅方向Ｙに延びている。第２スペーサ５３は、第１シート５１の後端縁に沿って固定され当該第１シート５１の表面を幅方向Ｙに延びている。第１スペーサ５２および第２スペーサ５３のそれぞれは、透明な両面テープである。前後方向Ｘにおける第１スペーサ５２と第２スペーサ５３との間の距離は、ＩＳＯカード２の前後方向Ｘの長さ寸法よりも長い。
【００９５】
第２シート５４は樹脂シートであり、可撓性を有する。第２シート５４は、第１シート
５１と同一の形状を備える。第１シート５１と第２シート５４との積層方向から見た場合に、第２シート５４は第１シート５１とは完全に重なっており、第１シート５１の外周縁と第２シート５４の外周縁とは一致している。
【００９６】
第１シート５１の前端部分には第１遮光部６１が設けられている。第１遮光部６１は、第１シート５１の前端縁５１ａから前後方向Ｘに延びて第１スペーサ５２の後方Ｘ２（前端縁５１ａとは反対側）まで達している。また、第１遮光部６１は、第１シート５１の前端縁５１ａに沿って幅方向Ｙに延びている。第１遮光部６１は、シルク印刷等によって第１シート５１に施された黒色の帯である。第２遮光部６２は、第１シート５１の後端部分に設けられている。より具体的には、第２遮光部６２は、第１シート５１の後端縁５１ｂから前後方向Ｘに延びて第２スペーサ５３の前方Ｘ１（後端縁５１ｂとは反対側）まで達している。第２遮光部６２は、第１シート５１の後端縁５１ｂに沿って幅方向Ｙに延びている。第２遮光部６２は、シルク印刷等によって第１シート５１に施された黒色の帯である。
【００９７】
ここで、第１遮光部６１と第２遮光部６２との間の距離Ｌ１は、ＩＳＯカード２（紙カード４）の前後方向Ｘの長さ寸法よりも短い。また、第１遮光部６１と第２遮光部６２における第１遮光部６１とは反対側の端との間の距離Ｌ２は、ＩＳＯカード２（紙カード４）の前後方向Ｘの長さ寸法よりも長い。従って、紙カード４を第１シート５１と第２シート５４との間に配置したときに、紙カード４の前端を第１遮光部６１に重ね、かつ、紙カード４の後端を第２遮光部６２に重ねることができる。さらに、本例では、スペーサ５２と第２遮光部６２との間の距離Ｌ３はＩＳＯカード２（紙カード４）の前後方向Ｘの長さ寸法よりも短い。従って、紙カード４をスペーサ５２に隣接させて配置したときに、紙カード４の前端を第１遮光部６１に重ね、かつ、紙カード４の後端を第２遮光部６２に重ねることができる。
【００９８】
本例においても、アダプタ３Ｆの幅方向Ｙの寸法はＩＳＯカード２と同様なので、アダプタ３ＦはＩＳＯカード２と同様に、スキャナ１の搬送機能によって搬送経路９に沿って搬送することができる。また、紙カード４は第１シート５１と第２シート５４との間に挟まれた状態でアダプタ３Ｆに保持される。従って、紙カード４の形状が不揃いであっても、搬送中にカード詰まりを発生させることがなく、カードを損傷させることもない。さらに、第１シート５１と第２シート５４とは第１スペーサ５２および第２スペーサ５３を介して積層されているので、第１シート５１と第２シート５４との間に紙カード４を配置することが容易である。また、アダプタ３Ｆは、紙カード４において、画像の読み取りが必要な部分と重なる部分が透明なので、スキャナ１は紙カード４の表面および裏面を読み取ることができる。
【００９９】
また、本例では、第１シート５１が第１遮光部６１を備えるので、紙カード４を保持したアダプタ３Ｆがスキャナ１の搬送経路９に沿って搬送されたときに、第１遮光部６１によって各位置センサ３７、３８、３９の検出光を遮ることができる。従って、搬送経路９上にあるアダプタ３Ｆの前端を検出できる。また、第１遮光部６１と紙カード４の前端縁４ａを重ねることができるので、紙カード４と第１遮光部６１との間に透明な隙間が形成されることを防止できる。従って、位置センサ３７，３８の誤検出を回避でき、各位置センサ３７、３８、３９によって搬送経路９上にあるアダプタ３Ｆの前端の位置を確実に検出できる。
【０１００】
さらに、本例では、第２遮光部６２と紙カード４の後端縁４ｂを重ねることができるので、紙カード４と第２遮光部６２との間に透明な隙間が形成されることを防止できる。従って、第２遮光部６２により各位置センサ３７、３８、３９の検査光の遮断が解除された時点で、アダプタ３Ｆが各位置センサ３７、３８、３９による検出位置Ｃ、Ｄ、Ｅを通過
したことを把握できる。
【０１０１】
また、スキャナ１によってアダプタ３Ｆに保持された紙カード４の表面および裏面が読み取られたときに、画像中に現れる第１遮光部６１および第２遮光部６２によって、紙カード４の画像の範囲を正確に把握できる。従って、画像データから不必要な領域をオミットすることが容易であり、画像データから必要な画像部分のみを切りだして、画像データの容量を抑制することが容易となる。
【０１０２】
なお、第１遮光部６１および第２遮光部６２は、第２シート５４の側に設けられていてもよい。
【０１０３】
また、本例において、第２スペーサ５３を省略してもよい。この場合には、第１シート５１の後端部分と第２シート５４の後端部分が固定されないので、第１シート５１と第２シート５４との間に紙カード４を挿入することが容易となる。この場合でも、本例では、第１遮光部６１と第２遮光部６２との間の距離Ｌ１がＩＳＯカード２（紙カード４）の前後方向Ｘの長さ寸法よりも短い。また、第２遮光部６２は、第１シート５１の後端縁５１ｂから前後方向Ｘに延びており、第１遮光部６１と第２遮光部６２における第１遮光部６１とは反対側の端との間の距離Ｌ２（第１遮光部６１と第１シート５１の後端縁５１ｂとの間の距離）がＩＳＯカード２（紙カード４）の前後方向Ｘの長さ寸法よりも長い。従って、紙カード４を第１シート５１と第２シート５４との間に配置したときに、紙カード４の前端縁４ａを第１遮光部６１に重ね、かつ、紙カード４の後端縁４ｂを第２遮光部６２に重ねることが容易である。これにより、紙カード４と第１遮光部６１との間、および、紙カード４と第２遮光部６２との間に透明な隙間が形成されることを防止できる。
【符号の説明】
【０１０４】
１…スキャナ（イメージスキャナ）、２…ＩＳＯカード（所定規格のカード）、３・３Ａ〜３Ｆ…アダプタ（イメージスキャナ用アダプタ）、４…紙カード（カード状媒体）、４ａ…前端縁、４ｂ…後端縁、５…筐体、６…スロット、７…第１イメージセンサ、８…第２イメージセンサ、９…搬送経路、１０…搬送機構、１１…搬送モータ、１３…第１搬送ローラ対、１４…第２搬送ローラ対、１５…第１駆動ローラ、１６…第１従動ローラ、１７…駆動力伝達機構、１８…ベルト、１９…第１駆動軸、２０…第１駆動ローラ本体、２１…第１プーリ、２２…上側フレーム、２３…第１回転軸、２４…第１従動ローラ本体、２５…下側フレーム、２７…第２駆動ローラ、２８…第２従動ローラ、２９…第２駆動軸、３０…第２駆動ローラ本体、３１…第２プーリ、３３…第２回転軸、３４…第２従動ローラ本体、３５…搬送ガイド部、３７…第１位置センサ、３８…第２位置センサ、３９…第３位置センサ、４１…制御部、４２…メモリ、４３…通信インターフェース、４４…上位機器、４７…台紙、４８…カット線、５１…第１シート、５１ａ…前端縁、５１ｂ…後端縁、５１ｃ…第１切欠き部、５２…スペーサ（第１スペーサ）、５２ａ…一方側スペーサ部分、５２ｂ…他方側スペーサ部分、５３…第２スペーサ（第２のスペーサ）、５４…第２シート、５４ａ…第２切欠き部、５６…ガイド部、５７…記号列、６１…第１遮光部、６２…第２遮光部、６５…目盛、６７…フック用穴、６８…矩形形状部分、６９…突出部分、７１…掴み部、Ｍ１…搬送方向、Ｍ２…排出方向
【図１】
2019080297.tif 000003
【図２】
2019080297.tif 000004
【図３】
2019080297.tif 000005
【図４】
2019080297.tif 000006
【図５】
2019080297.tif 000007
【図６】
2019080297.tif 000008
【図７】
2019080297.tif 000009
【図８】
2019080297.tif 000010
【図９】
2019080297.tif 000011
【図１０】
2019080297.tif 000012
【図１１】
2019080297.tif 000013
【図１２】
2019080297.tif 000014